(57)【要約】【課題】  空気噴射式織機において、緯入れされる緯糸の種類等に関わらず、安定した緯入れが実現されるようにする。【解決手段】  空気噴射式織機において、緯入れ装置を、メインノズルにおけるスレッドガイドの先端部よりも後方で噴射口をスレッドガイドの導糸孔内に向けると共に緯糸の進行方向に向けて空気を噴射する噴射ノズルが設けられたものとし、製織中における予め定められた緯糸の緯入れが行われる製織サイクルの開始時点から当該緯糸の緯入れが開始される緯入れ開始時点までの間の少なくとも一部の期間において前記噴射ノズルに空気噴射動作を行わせる。【選択図】  図１
2016044372.tif 000002
【特許請求の範囲】
【請求項１】
圧縮空気を供給するための供給孔を有するノズル本体と、該ノズル本体に形成された挿入孔に挿入されるスレッドガイドであって緯糸が挿通される導糸孔を有するスレッドガイドとを備え、緯入れ時において、前記ノズル本体における前記供給孔から供給された圧縮空気が前記挿入孔内で前記スレッドガイド周りを通過して噴射されることにより、前記スレッドガイドにおける前記導糸孔に挿通された緯糸を射出するメインノズルを含む緯入れ装置による空気噴射式織機における緯入れ方法であって、
前記スレッドガイドの先端部よりも後方で噴射口を前記導糸孔内に向けると共に前記緯糸の進行方向に向けて空気を噴射する噴射ノズルが設けられており、
製織中における予め定められた緯糸の緯入れが行われる製織サイクルの開始時点から当該緯糸の緯入れが開始される緯入れ開始時点までの間の少なくとも一部の期間において前記噴射ノズルに空気噴射動作を行わせる
ことを特徴とする空気噴射式織機における緯入れ方法。
【請求項２】
前記噴射ノズルが、前記スレッドガイドの軸線方向に沿って空気が噴射されるように前記空気噴射動作を行う
ことを特徴とする請求項１に記載の空気噴射式織機における緯入れ方法。
【請求項３】
圧縮空気を供給するための供給孔を有するノズル本体と、該ノズル本体に形成された挿入孔に挿入されるスレッドガイドであって緯糸が挿通される導糸孔を有するスレッドガイドとを備え、緯入れ時において、前記ノズル本体における前記供給孔から供給された圧縮空気が前記挿入孔内で前記スレッドガイド周りを通過して噴射されることにより、前記スレッドガイドにおける前記導糸孔に挿通された緯糸を射出するメインノズルを含む空気噴射式織機における緯入れ装置において、
前記スレッドガイドの先端部よりも後方で噴射口を前記導糸孔内に向けると共に前記緯糸の進行方向に向けて空気を噴射する噴射ノズルと、
前記噴射ノズルの噴射期間であって予め定められた緯糸の緯入れが行われる製織サイクルの開始時点から当該緯糸の緯入れが開始される緯入れ開始時点までの間の少なくとも一部の期間を含むように設定された噴射期間を記憶する記憶器と、
前記記憶器に記憶された前記噴射期間に従って前記噴射ノズルに空気噴射動作を行わせる制御器とを備える
ことを特徴とする空気噴射式織機における緯入れ装置。
【請求項４】
前記噴射ノズルは、前記スレッドガイドの軸線方向に見て前記噴射口の中心が前記導糸孔の範囲内に位置するように設けられ、前記スレッドガイドの軸線方向に沿って空気が噴射されるように前記空気噴射動作を行う
ことを特徴とする請求項３に記載の空気噴射式織機における緯入れ装置。
【請求項５】
前記噴射ノズルは、前記ノズル本体に取り付けられると共に、円形状に形成されて前記スレッドガイドの後端部が配置される円形溝、及び該円形溝内に突出するように形成されると共に緯糸を挿通するための挿通孔が形成された管状の突出部であって前記スレッドガイドの軸線方向に見て前記円形溝に配置された前記スレッドガイドの前記導糸孔の範囲内に位置すると共に前記導糸孔と軸線の位置を一致させて形成された突出部を有するノズル体を主体とし、前記円形溝に前記スレッドガイドの後端部が配置された状態で、前記突出部の先端部が前記スレッドガイドの前記導糸孔に挿入された状態となって前記スレッドガイドの後端部と前記突出部の先端部とで前記噴射口が形成され、且つ前記スレッドガイドの後端面と前記円形溝とで前記噴射口に連通すると共に空気が供給される環状溝が形成されるように構成されている
ことを特徴とする請求項４に記載の空気噴射式織機における緯入れ装置。
【発明の詳細な説明】
【技術分野】
【０００１】
本発明は、空気噴射式織機における緯入れ装置、特に、圧縮空気を供給するための供給孔を有するノズル本体と、該ノズル本体に形成された挿入孔に挿入されるスレッドガイドであって緯糸が挿通される導糸孔を有するスレッドガイドとを備え、緯入れ時において、前記ノズル本体における前記供給孔から供給された圧縮空気が前記挿入孔内で前記スレッドガイド周りを通過して噴射されることにより、前記スレッドガイドにおける前記導糸孔に挿通された緯糸を射出するメインノズルを含む緯入れ装置による緯入れ方法、及びその緯入れ装置に関する。
【背景技術】
【０００２】
一般的な空気噴射式織機において、緯入れ装置におけるメインノズルは、例えば特許文献１に開示されているように、挿入孔が形成されたノズル本体を主体とし、そのノズル本体の挿入孔に挿入されたスレッドガイドを備えるものとなっている。なお、スレッドガイドは、緯糸を挿通するための導糸孔としての貫通孔が形成されたパイプ状の部材であり、後端部が大径のフランジ状に形成されると共に、その後端部に続く部分がノズル本体の挿入孔と嵌り合う径を有するものとなっており、ノズル本体の挿入孔内に挿入されると共に、前記の後端部に続く部分においてノズル本体の挿入孔内に嵌め合わされるかたちでノズル本体に装着されるものとなっている。
【０００３】
但し、前記のスレッドガイドにおけるフランジ状の後端部は、ノズル本体の挿通孔（スレッドガイドにおけるノズル本体の挿入孔に嵌り合う部分（嵌合部））よりも大きい外径を有しているため、スレッドガイドがノズル本体に装着された状態において、ノズル本体の外側に位置している。
【０００４】
また、スレッドガイドは、前記の嵌合部に続く中間部が嵌合部よりも小径に形成されると共に、その中間部よりも先端側の部分であるニードル部は中間部よりも更に小径に形成されたものとなっている。従って、スレッドガイドがノズル本体に装着された状態において、中間部及びニードル部の周りには、環状の流路（環状流路）が形成された状態となる。そして、ノズル本体には、その環状流路に連通する位置に、圧縮空気が供給される空気供給孔が形成されている。その上で、メインノズルは、そのノズル本体の空気供給孔において空気供給管等を介して圧縮空気の供給源に接続されており、その空気供給源からの圧縮空気が空気供給孔を介してノズル本体の挿入孔（環状流路）に供給されるものとなっている。
【０００５】
従って、そのような構成のメインノズルにおいては、空気供給孔に対し空気供給源から圧縮空気が供給されると、その圧縮空気は、ノズル本体の挿通孔内におけるスレッドガイドの中間部及びニードル部の周りの環状流路を経由（通過）し、ノズル本体の先端側に取り付けられたパイプを通ってパイプ先端の噴射口から噴射されることとなる。そして、そのように圧縮空気が噴射されることにより、スレッドガイドの導糸孔に挿通されると共に先端側がメインノズル（パイプ）の噴射口に至るようにメインノズルの通された緯糸は、スレッドガイドよりも突出する部分が圧縮空気によって牽引されることとなり、それによってメインノズルからの緯糸の射出が行われることとなる。
【先行技術文献】
【特許文献】
【０００６】
【特許文献１】特開２００８−２４８４２８号公報
【発明の概要】
【発明が解決しようとする課題】
【０００７】
ところで、前記のようなメインノズルを備えた緯入れ装置において、例えば、その緯入れ装置が単一のメインノズルのみを備えた単色の緯入れ装置である場合を例に述べると、緯入れが終了した時点（緯糸の飛走（移動）が停止した時点）から次の製織サイクルにおける緯入れが開始される時点（前記のようなメインノズルからの圧縮空気の噴射が開始される時点）までの間の非緯入れ期間では、スレッドガイドの導糸孔内において、緯糸はほぼ静止した状態となっている。そのため、製織に使用される緯糸の種類等によっては、その緯糸に付着している油剤等により、その緯糸がスレッドガイドにおける導糸孔の内壁に貼り付いた状態となる場合がある。特に、緯糸が細いフィラメント糸の場合において、そのような貼り付きが発生し易いことが確認されている。なお、前記した非緯入れ期間について、２以上のメインノズルで緯入れを行う多色の緯入れ装置の場合は、各メインノズルで緯入れされる緯糸の非緯入れ期間は、その緯糸の緯入れが行われた製織サイクルにおける緯入れ終了時点から、その緯糸が次に緯入れされる製織サイクルにおける緯入れ開始時点までとなる。
【０００８】
そして、前記のような緯糸の貼り付きが発生すると、その貼り付きが発生した非緯入れ期間に続く緯入れにおいて、緯糸の飛走に遅れが発生する場合がある。すなわち、スレッドガイドの導糸孔内において前記のような貼り付きが発生していると、その貼り付き状態が抵抗となるため、前記のようにメインノズルからの圧縮空気の噴射が開始されても緯糸の飛走（移動）の開始がスムースに行われないこととなり、それによって緯糸の飛走開始に遅れが生じるというものである。そして、そのような緯糸の飛走開始の遅れが生じると、緯糸の飛走位置とサブノズルの噴射タイミングとの関係が予め想定したものと異なるものとなり、緯糸の飛走に乱れた生じて緯糸の到達に遅れが発生したり、場合によっては緯入れ不良が発生したりして、正常な緯入れが安定して行われないなってしまうといった問題が発生する。
【０００９】
そこで、前記のような問題の発生に鑑み、本発明は、前記のような緯入れ装置を備えた空気噴射式織機において、緯入れされる緯糸の種類等に関わらず、安定した緯入れが実現されるようにすることを目的とする。
【課題を解決するための手段】
【００１０】
そして、その目的を達成すべく、本発明による緯入れ方法は、前記のようなメインノズルを含む緯入れ装置を備えた空気噴射式織機において、前記緯入れ装置を、前記スレッドガイドの先端部よりも後方で噴射口を前記導糸孔内に向けると共に前記緯糸の進行方向に向けて空気を噴射する噴射ノズルが設けられたものとし、製織中における予め定められた緯糸の緯入れが行われる製織サイクルの開始時点から当該緯糸の緯入れが開始される緯入れ開始時点までの間の少なくとも一部の期間において前記噴射ノズルに空気噴射動作を行わせることを特徴とする。
【００１１】
また、本発明による緯入れ装置は、前記空気噴射式織機において、前記スレッドガイドの先端部よりも後方で噴射口を前記導糸孔内に向けると共に前記緯糸の進行方向に向けて空気を噴射する噴射ノズルと、前記噴射ノズルの噴射期間であって予め定められた緯糸の緯入れが行われる製織サイクルの開始時点から当該緯糸の緯入れが開始される緯入れ開始時点までの間の少なくとも一部の期間を含むように設定された噴射期間を記憶する記憶器と、前記記憶器に記憶された前記噴射期間に従って前記噴射ノズルに空気噴射動作を行わせる制御器とを備えることを特徴とする。
【００１２】
なお、前記における「予め定められた緯糸」とは、本発明における噴射ノズルの空気噴射動作の対象として作業者等によって予め定められた緯糸である。なお、その設定は作業者等によって任意に行われるものであるが、本発明の趣旨に基づけば、基本的には、少なくとも前記のようなスレッドガイドの導糸孔内での貼り付きを生じやすい緯糸がその対象となる。例えば、２以上の種類の緯糸を用いて製織が行われる場合であって、前記貼り付きを生じ易い緯糸と生じ難い緯糸とを用いて製織する場合においては、少なくとも前記貼り付きを生じ易い緯糸が前記の予め定められた緯糸とされ、その定められた緯糸の緯入れに対応させて前記空気噴射ノズルの空気噴射動作が行われる。但し、本発明は、前記のような貼り付きを生じ難い緯糸の緯入れに対応させて前記噴射ノズルが空気噴射動作を行うものを除外するものではない。
【００１３】
また、前記における「製織サイクル」とは、１回の緯入れで緯入れされた緯糸が織布に織り込まれる一連の動作（緯入れ、筬打ち、等）が行われる織機のサイクルであって、織機の主軸の回転角度における０°〜３６０°に相当する。従って、「製織サイクルの開始時点」とは、織機の主軸の回転角度が０°の時点である。
【００１４】
さらに、前記における「緯入れ開始時点」とは、メインノズルからの圧縮空気の噴射が開始される時点のことである。因みに、本出願で言う「緯入れ終了時点」とは、緯入れ（緯糸の飛走）が開始された後の時点であって緯糸がメインノズルよりも緯糸の進行方向における上流側において係止されて緯糸の飛走が停止する時点のことである。
【００１５】
また、前記における「後方」について、本明細書における前後とは、メインノズルに挿通される緯糸の進行方向における上流側を後とし、下流側を前とするものである。但し、メインノズル、スレッドガイド等の部材における最前側の部分については先端とも言う。
【００１６】
また、本発明による緯入れ方法及び緯入れ装置においては、前記噴射ノズルが、前記スレッドガイドの軸線方向に沿って空気が噴射されるように前記空気噴射動作を行うものであることが好ましく、そのために、緯入れ装置においては、前記噴射ノズルが、前記スレッドガイドの軸線方向に見て前記噴射口の中心が前記導糸孔の範囲内に位置するように設けられるものであることが好ましい。
【００１７】
さらに、本発明による緯入れ装置においては、前記噴射ノズルが、前記ノズル本体に取り付けられると共に、円形状に形成されて前記スレッドガイドの後端部が配置される円形溝、及び該円形溝内に突出するように形成されると共に緯糸を挿通するための挿通孔が形成された管状の突出部であって前記スレッドガイドの軸線方向に見て前記円形溝に配置された前記スレッドガイドの前記導糸孔の範囲内に位置すると共に前記導糸孔と軸線の位置を一致させて形成された突出部を有するノズル体を主体とし、前記円形溝に前記スレッドガイドの後端部が配置された状態で、前記突出部の先端部が前記スレッドガイドの前記導糸孔に挿入された状態となって前記スレッドガイドの後端部と前記突出部の先端部とで前記噴射口が形成され、且つ前記スレッドガイドの後端面と前記円形溝とで前記噴射口に連通すると共に空気が供給される環状溝が形成されるように構成されるものとしてもよい。
【発明の効果】
【００１８】
本発明による緯入れ方法及び緯入れ装置によれば、製織中における予め定められた緯糸の緯入れが行われる製織サイクルの開始時点から当該緯糸の緯入れが開始される緯入れ開始時点までの間の少なくとも一部の期間において、噴射ノズルによりスレッドガイドの導糸孔内へ向けての空気噴射が行われるものとなっており、これにより、前記非緯入れ期間において導糸孔内での緯糸の貼り付きが発生したとしても、噴射ノズルによる圧縮空気の噴射によってその貼り付き状態が解消されるため、各緯入れの開始時点においては前記貼り付き状態が解消された状態となり、各緯入れが正常に且つ安定して行われるものとなる。特に、前記非緯入れ期間の全期間に亘って噴射ノズルが圧縮空気を噴射するものとすれば、前記した導糸孔内での緯糸の貼り付き自体を防止することが可能となる。
【００１９】
また、本発明による緯入れ方法及び緯入れ装置において、噴射ノズルが、スレッドガイドの軸線方向に沿って空気が噴射されるように前記空気噴射動作を行うものとする、すなわち、噴射ノズルを、その噴射口がスレッドガイドの軸線方向における中間の部分において導糸孔内に開口するように形成されるものではなく、スレッドガイドの後端部から導糸孔内へ空気が導入されるように配置されるものとすることにより、スレッドガイドに対し特別な加工を施すことなく、前記効果が達成されるものとなる。
【００２０】
さらに、本発明による緯入れ装置において、噴射ノズルを、ノズル本体部の後端に取り付けられるノズル体を主体として構成されたものとし、そのノズル体における管状の突出部の先端部がスレッドガイドの導糸孔に挿入された状態となるように設けられると共に、その突出部の先端部と前記スレッドガイドの後端部とによって噴射口が形成されるように構成されたものとする、すなわち、噴射ノズルを、その噴射口がスレッドガイドの後端部においてスレッドガイド内に位置するように形成された構成とすることにより、噴射口より噴射される空気が直接的にスレッドガイドの導糸孔内に噴射されるものとなり、その噴射される空気が外乱を受けること無く導糸孔内を流れるものとなるため、前記した貼り付き状態がより確実に解消されるものとなる。
【図面の簡単な説明】
【００２１】
【図１】本発明による緯入れ装置の一実施形態を示す断面側面図。
【図２】本発明による緯入れ装置の一実施形態における要部を示す断面側面図。
【図３】本発明による緯入れ装置の一実施形態を示す背面図。
【図４】本発明による緯入れ装置の他の実施形態を示す断面側面図及び背面図。
【図５】本発明による緯入れ装置の他の実施形態を示す断面側面図。
【発明を実施するための形態】
【００２２】
以下では、図１〜３に基づき、本発明の一実施例について説明する。
【００２３】
図１に、空気噴射式織機における緯入れ装置に用いられるメインノズルの一例を示す。なお、本実施例では、緯入れ装置は単一のメインノズルのみを備える単色の緯入れ装置とする。従って、本実施例では、その緯入れ装置によって緯入れされる緯糸は１種類であり、その緯糸が本発明で言う予め定められた緯糸となるものとする。
【００２４】
メインノズル１０は、ノズル本体１１を主体とし、そのノズル本体１１に装着されるスレッドガイド１３と、ノズル本体１１に取り付けられるパイプ１５とを有する構成となっている。ノズル本体１１は、図示の例では円筒状の部材であり、その軸線方向に貫通するかたちで挿通孔１１ａが形成されたものとなっている。また、ノズル本体１１には、その周面から挿通孔１１ａへ向けて貫通する貫通孔が形成されており、その貫通孔が挿通孔１１ａ内へ圧縮空気を供給するための空気供給孔１１ｂとなる。
【００２５】
なお、ノズル本体１１における挿通孔１１ａは、その軸線方向における一端側の部分の径が若干小さくなるように形成されており、挿通孔１１ａ内に段部１１ａ２が存在するものとなっている。そして、挿通孔１１ａ内には、段部１１ａ２に当接させるかたちで整流子１１ｃが設けられている。さらに、ノズル本体１１には、挿通孔１１ａにおける前記した径が若干小さく形成されている部分に対し、パイプ１５が圧入固定されるかたちで取り付けられている。
【００２６】
スレッドガイド１３は、中心をスレッドガイド１３の軸線に一致させると共にその軸線方向に貫通する導糸孔１３ａが形成されたパイプ状の部材であり、後端部１３ｂがノズル本体１１の挿通孔１１ａの内径よりも大径のフランジ状に形成されると共に、先端へ向けて段階的に径が小さくなるように形成されたものとなっている。すなわち、スレッドガイド１３は、その後端部１３ｂに続く部分であってノズル本体１１の挿通孔１１ａに嵌り合う外径を有する嵌合部１３ｃと、その嵌合部１３ｃにテーパー面を介して連続すると共に嵌合部１３ｃよりも小径の中間部１３ｄと、その中間部１３ｄに円弧テーパー面を介して連続すると共に中間部１３ｄよりもさらに小径のニードル部１３ｅとを有する構成となっている。また、スレッドガイド１３における導糸孔１３ａは、スレッドガイド１３の後端から中間部１３ｄの後端部付近までに亘って徐々に内径が小さくなるようにテーパー状に形成されたものとなっている。
【００２７】
さらに、スレッドガイド１３は、嵌合部１３ｃにおける中間よりも後端部１３ｂ側の部分の外周面に雄ネジが形成されたものとなっており、嵌合部１３ｃの後端側の部分が雄ねじ部１３ｃ１として形成されたものとなっている（図２）。一方、ノズル本体１１の挿通孔１１ａにおけるパイプ１５が取り付けられる側とは反対側の端部は、その内周面に雌ネジが形成された雌ネジ部１１ａ１となっている。そして、スレッドガイド１３は、ノズル本体１１における挿通孔１１ａに対しパイプ１５が取り付けられる側とは反対側の端部から挿入され、雄ネジ部１３ｃ１が挿通孔１１ａの雌ネジ部１１ａ１に螺合すると共に、嵌合部１３ｃにおける雄ネジ部１３ｃ１よりも先端側の部分が挿通孔１１ａに嵌まり込むかたちで、ノズル本体１１に対し装着される。
【００２８】
因みに、スレッドガイド１３は、前記のようにノズル本体１１に装着された状態で、ニードル部１３ｄが、挿通孔１１ａ内において整流子１１ｃを超えてノズル本体１１に取り付けられたパイプ１５の内側まで延在するものとなっている。
【００２９】
また、スレッドガイド１３において、中間部１３ｄ及びニードル部１３ｅは、前記のように嵌合部１３ｂよりも小径に形成されている、すなわち、挿通孔１１ａの内径よりも外径が小さいものとなっている。従って、スレッドガイド１３が前記のようにノズル本体１１に装着されることにより、挿通孔１１ａ内には、中間部１３ｄ及びニードル部１３ｅの周りに環状の流路（環状流路）１１ｄが形成された状態となる。そして、スレッドガイド１３には、中間部１３ｄにおけるニードル部１３ｅ側の端部に、その外周面から半径方向外側に向かって放射状に延びる複数の整流フィン１３ｆが設けられており、その整流フィン１３ｆにより、環状流路１１ｄ内において中間部付近に整流流路が形成されるものとなっている。
【００３０】
なお、前記したノズル本体１１に形成される空気供給孔１１ｂは、挿通孔１１ａ内におけるスレッドガイド１３の中間部１３ｄ周りの環状流路１１ｄに連通するように形成されている。そして、この空気供給孔１１ｂには、コネクタ１７が取り付けられ、メインノズル１０は、後述するように、コネクタ１７によって連結される空気供給管３７ａを介して空気供給源３１に接続されるものとなっている。
【００３１】
以上のようなメインノズル１０を備えた空気噴射式織機における緯入れ装置において、本発明では、メインノズル１０におけるスレッドガイド１３の先端部よりも上流側で噴射口がスレッドガイド１３の導糸孔１３ａ内に向けられると共に緯糸の進行方向に向けて空気を噴射する噴射ノズルが設けられるものであり、本実施例では、その噴射ノズルは、メインノズル１０のノズル本体１１の取り付けられるものとなっている。以下では、その本実施例における噴射ノズルＮ１について、その構成を詳細に説明する。
【００３２】
本実施例において、噴射ノズルＮ１は、ノズル体２０を主体として構成されたものとなっており、また、ノズル体２０は、メインノズル１０のノズル本体１１に組み付けられる本体部材２１と、その本体部材２１に取り付けられる流路形成部材２３とによって構成されたものとなっている（図２、３）。
【００３３】
そのノズル体２０の各部について、先ず、本体部材２１は、円筒形状の部材として形成されたものであり、中心を軸線に一致させると共にその軸線方向に貫通する貫通孔が形成されたものとなっている。但し、その貫通孔は、その内径が前記軸線方向において一端側から順に三段階で小さくなるように形成されており、内径の異なる3つの部分を有するものとなっている。より詳しくは、前記貫通孔は、メインノズル１０におけるノズル本体１１の外径に対応する内径の部分（以下、「大径部」と言う。）２１ａと、スレッドガイド１３の後端部１３ｂの外径に対応する内径の部分（以下、「中径部」と言う。）２１ｂと、中径部２１ｂよりも小さい内径の部分（以下、「小径部」と言う。）２１ｃとの３つの部分を有するように形成されている。
【００３４】
また、流路形成部材２３は、本体部材２１における前記貫通孔の小径部２１ｃにおいて本体部材２１に取り付けられる部材であり、その小径部２１ｃの内径に対応した外径を有する円盤状の胴部２３ａと、その円盤状の胴部２３ａの中心軸の方向（中心軸方向）における一端側において胴部２３ａと同心状に設けられると共に胴部２３ａよりも大きい外径を有するフランジ部２３ｂと、胴部２３ａに対し前記中心軸方向におけるフランジ部２３ｂとは反対側において胴部２３ａと同心状に設けられると共に胴部２３ａから前記中心軸方向に突出するように設けられる円筒状の流路形成部２３ｃとを有し、それらの各部が一体的に形成されたものとなっている。
【００３５】
その上で、流路形成部材２３には、緯糸を挿通するための挿通孔２３ｄであって、その中心を前記中心軸に一致させると共に前記中心軸方向に貫通するように形成された挿通孔２３ｄが形成されている。
【００３６】
そして、流路形成部材２３は、その胴部２３ａが本体部材２１における前記貫通孔の小径部２１ｃに嵌め込まれると共にフランジ部２１ｂが本体部材２１の外側の端面に当接するかたちで、本体部材２１に対し組み付けられる。なお、そのように流路形成部材２３が本体部材２１に組み付けられることにより、流路形成部材２３の前記中心軸は、本体部材２１における前記軸線と一致した状態となる。そこで、前記の中心軸方向、軸線方向について、以下では、統一して軸線方向と言う。
【００３７】
但し、胴部２３ａは、その前記軸線方向における寸法が、本体部材２１における前記貫通孔の小径部２１ｃの前記軸線方向における寸法と略同じものとなっている。従って、流路形成部材２３が前記のように本体部材２１に対し組み付けられた状態では、本体部材２１の前記貫通孔内には、流路形成部２３ｃのみが突出した状態となる。
【００３８】
また、流路形成部２３ｃは、その外形形状がテーパー状に形成されて胴部２３ａ側の端部に対し先端側の方が外径が小さい先細り形状を有すると共に、その大部分において外径がスレッドガイド１３の後端部１３ｂにおける導糸孔１３ａの内径よりも小さいものとなっている。
【００３９】
さらに、流路形成部２３ｃは、その前記軸線方向における寸法が、本体部材２１の前記貫通孔における中径部２１ｂの前記軸線方向における寸法と略同じものとなっている。従って、流路形成部材２３が前記のように本体部材２１に対し組み付けられた状態では、流路形成部２３ｃは、前記軸線方向において、前記貫通孔における中径部２１ｂの範囲に亘って延在するかたちとなる。
【００４０】
そして、流路形成部材２３が前記のように本体部材２１に対し組み付けられたその組み付け状態では、前記軸線方向に見て、本体部材２１における前記貫通孔の中心と流路形成部材２３における挿通孔２３ｄの中心とが一致した状態となる。すなわち、前記組み付け状態においては、流路形成部材２３における流路形成部２３ｃ及び挿通孔２３ｄは、本体部材２１における前記貫通孔に対し同心状に配置された状態となる。
【００４１】
その上で、前記のように本体部材２１と流路形成部材２３とが組み合わされて構成されたノズル体２０は、本体部材２１における前記貫通孔の大径部２１ａがメインノズル１０におけるノズル本体１１の後端に嵌め合わされるかたちで、メインノズル１０（ノズル本体１１）に対し取り付けられる。因みに、ノズル本体１１に対するノズル体２０の固定は、本体部材２１に外周面から前記貫通孔の大径部２１ａに向けて貫通するように形成された雌ネジ孔２１ｄに対し押しネジ等のネジ部材（図示略）を螺挿し、そのネジ部材がノズル本体２１に対し押接された状態とされることで成される。
【００４２】
また、そのようにノズル本体１１に対しノズル体２０が取り付けられたその取り付け状態においては、スレッドガイド１３の軸線方向に見て、メインノズル１０におけるノズル本体１１の挿入孔１１ａの中心とノズル体２０における前記貫通孔の中心（流路形成部材２３の挿通孔２３ｄの中心）とが一致した状態となる。すなわち、その取り付け状態においては、ノズル体２０における流路形成部２３ｃは、メインノズル１０におけるスレッドガイド１３に対し同心状に配置された状態となる。
【００４３】
なお、前述のように、メインノズル１０は、スレッドガイド１３の後端部１３ｂがノズル本体１１から後方に突出する構成となっている。従って、前記取り付け状態においては、スレッドガイド１３の後端部１３ｂは、ノズル体２０における前記貫通孔の中径部２１ｂ内に位置した状態となる。従って、ノズル体２０における前記貫通孔の中径部２１ｂが、ノズル体２０における円形溝に相当する。
【００４４】
また、前記のように、ノズル体２０における流路形成部２３ｃは、前記貫通孔に対し同心状に設けられていると共に、前記軸線方向における前記貫通孔の中径部２１ｂの範囲に亘って中径部２１ｂに突出するものとなっている。また、前記のように、流路形成部２３ｃは、スレッドガイド１３に対し同心状に配置されたものとなっており、且つ、その大部分において先端部の外径がスレッドガイド１３の後端部１３ｂにおける導糸孔１３ａの内径よりも小さいものとなっている。従って、前記取り付け状態においてスレッドガイド１３の後端部１３ｂが前記貫通孔の中径部２１ｂに位置した状態となることにより、ノズル体２０における流路形成部２３ｃは、少なくともその先端側の部分（図示の例では、前記軸線方向における中間よりも先端側の部分）が、スレッドガイド１３の導糸孔１３ａ内に入り込んだ（位置した）状態となる。よって、その流路形成部２３ｃが、ノズル体２０における突出部に相当する。
【００４５】
さらに、ノズル体２０における前記貫通孔の中径部２１ｂは、その前記軸線方向における寸法が、スレッドガイド１３の後端部１３ｂの前記軸線方向における寸法よりも大きいものとなっている。従って、前記取り付け状態では、前記貫通孔の中径部２１ｂ内において、スレッドガイド１３（後端部１３ｂ）の後端面と中径部２１ｂの端面（中径部２１ｂと小径部２１ｃとの境界の面）との間に、流路形成部２３ｃ周りに環状の空間２７ａが形成されるものとなっている。
【００４６】
以上のようなかたちでノズル体２０がメインノズル１０におけるノズル本体１１に対し取り付けられることにより、噴射ノズルＮ１が構成される。
【００４７】
より詳しくは、前記のようにノズル体２０における流路形成部（突出部）２３ｃの先端側の部分がスレッドガイド１３の後端部１３ｂにおける導糸孔１３ａ内に入り込んだ状態となることで、そのスレッドガイド１３の後端部１３ｂ（後端部１３ｂにおける導糸孔１３ａの周りの部分）とノズル体２０における流路形成部２３ｃの先端側の部分との間の空間が、噴射ノズルＮ１における噴射口２７ｂとなる。すなわち、本実施例では、噴射ノズルＮ１は、メインノズル１０におけるスレッドガイド１３の後端部１３ｂの一部が噴射ノズルＮ１の一部として機能する構成となっている。従って、本実施例では、噴射ノズルＮ１の噴射口２７ｂは、スレッドガイド１３の導糸孔１３ａ内に位置したものとなっており、噴射ノズルＮ１は、前記軸線方向に見て噴射口２７ｂの中心が導糸孔１３ａの範囲内に位置するように設けられたものとなっている。
【００４８】
また、前記のように、前記取り付け状態において、スレッドガイド１３の後端面とノズル体２０の前記貫通孔における中径部２１ｂの端面との間に、流路形成部２３ｃ周りに環状の空間２７ａが形成されるものとなっており、その空間２７ａが噴射口２７ｂに連通するものとなっている。また、ノズル体２０における本体部２１は、その外周面から前記貫通孔の中径部２１ｂにおける空間２７ａとなる部分に向けて貫通する空気供給孔２１ｅが形成されると共に、その空気供給孔２１ｅに取り付けられたニップル等の管継手２５を介して空気供給管３７ｂが連結されるものとなっている。そして、空間２７ａは、その空気供給管３７ｂを介して空気供給源３１に接続されており、その空気供給源３１からの圧縮空気が供給されるものとなっている。従って、その環状の空間２７ａが、噴射ノズルＮ１における環状溝に相当する。
【００４９】
なお、図示の構成では、空気供給孔２１ｅ及び管継手２５を介して環状溝２７ａと空気供給源３１とを接続する空気供給管３７ｂの管路中に、空気供給源３１側から順にレギュレータ３３ｂ、タンク３４ｂ及び電磁開閉弁（第２の電磁開閉弁）３５ｂが介装されている。そして、その構成においては、空気供給源３１からの圧縮空気がレギュレータ３３ｂによって圧力を調整されてタンク３４ｂに貯留され、第２の電磁開閉弁３５が開弁状態とされることにより、タンク３４ｂに貯留されている圧縮空気が空気供給孔２１ｅから環状溝２７ａに供給され、環状溝２７ａを経由して噴射口２７ｂから噴射されることとなる。
【００５０】
因みに、前記したメインノズル１０における空気供給孔１１ｂと空気供給源３１とを接続する空気供給管３７ａの管路中にも、空気供給源３１側から順にレギュレータ３３ａ、タンク３４ａ及び電磁開閉弁（第１の電磁開閉弁）３５ａが介装されている。そして、その構成においても、空気供給源３１からの圧縮空気がレギュレータ３３ａによって圧力を調整されてタンク３４ａに貯留され、第１の電磁開閉弁３５が開弁状態とされることにより、タンク３４ａに貯留されている圧縮空気が空気供給孔１１ｂからノズル本体１１における挿通孔１１ａ内のスレッドガイド１３周りの環状流路１１ｄに供給され、環状流路１１ｄ及びパイプ１５を経由してパイプ１５の先端の噴射口から噴射されることとなる。
【００５１】
また、前記のような噴射ノズルＮ１及びメインノズル１０による圧縮空気の噴射動作を実行及び停止させるための第１の電磁開閉弁３５ａ及び第２の電磁開閉弁３５ｂは、緯入れ制御装置４０によってその駆動が制御される。そのために、緯入れ制御装置４０は、噴射ノズルＮ１及びメインノズル１０による圧縮空気の噴射期間が設定される記憶器４１と、その記憶記４１に記憶された噴射期間に従って第１、第２の電磁開閉弁３５ａ、３５ｂの開閉制御を行う制御器４２とを含んでいる。
【００５２】
但し、記憶器４１に記憶される噴射期間について、本実施例では、その噴射期間に対応する噴射開始タイミング及び噴射終了タイミング（以下、これらを総称して単に「噴射タイミング」とも言う。）が記憶器４１に設定されているものとする。すなわち、前記噴射タイミングによって噴射期間を特定することができるため、噴射期間の代替えとして前記噴射タイミングが記憶器４１に設定されるものとなっている。また、本実施例では、その噴射タイミングは、織機の主軸ＭＳの回転角度（以下、「クランク角度」とも言う。）で設定されているものとする。
【００５３】
また、緯入れ制御装置４０における制御器４２には、主軸ＭＳに接続されてクランク角度を検出するエンコーダＥＮが接続されている。そして、エンコーダＥＮは、検出したクランク角度に応じた信号（クランク角度信号）θを、制御器４２に対し出力するものとなっている。
【００５４】
その上で、その緯入れ制御装置４０において、制御器４２は、エンコーダＥＮからのクランク角度信号θと記憶器４１に記憶された噴射開始タイミング及び噴射終了タイミングとの比較を行うと共に、クランク角度が噴射開始タイミングと一致した時点、すなわち、クランク角度が噴射開始タイミングに達した時点で、開弁させるように電磁開閉弁を駆動するものである。また、制御器４２は、そのような開弁制御後において、制御器４２による前記比較の結果として、クランク角度が噴射終了タイミングと一致した時点、すなわち、クランク角度が噴射終了タイミングに達した時点で、閉弁するように電磁開閉弁を駆動するものである。
【００５５】
そして、制御器４２による前記のような開弁制御に伴い、第１の電磁開閉弁３５ａ又は第２の電磁開閉弁３５ｂが開弁状態とされると、メインノズル１０又は噴射ノズルＮ１による前記のような圧縮空気の噴射が開始されることとなる。また、その圧縮空気の噴射開始後において、制御器４２による前記のような閉弁制御に伴い、第１の電磁開閉弁３５ａ又は第２の電磁開閉弁３５ｂが閉弁状態とされると、メインノズル１０又は噴射ノズルＮ１による前記の圧縮空気の噴射が停止されることとなる。
【００５６】
なお、本実施例では、前述のように製織に使用される緯糸は１種類であり、製織に用いられる緯糸が全て本発明で言う予め定められた緯糸であるため、各製織サイクルにおける緯入れに対応させて噴射ノズルＮ１による空気噴射動作が行われるものとなる。その上で、記憶器４１に記憶される噴射ノズルＮ１の噴射期間については、各製織サイクルの開始時点（クランク角度０°）からその製織サイクルにおける緯入れ開始時点までの間の少なくとも一部の期間を含むように設定されるものであり、本実施例では、その噴射期間は、各製織サイクルにおける緯入れ終了時点からその次の製織サイクルにおける緯入れ開始時点までの間の期間、すなわち、各製織サイクルにおける緯入れ期間以外の期間（非緯入れ期間）であるものとする。従って、記憶器４１には、噴射ノズルＮ１の噴射期間として、その空気噴射式織機における緯入れ終了時点が噴射開始タイミングとして記憶され、緯入れ開始時点が噴射終了タイミングとして記憶されている。
【００５７】
以上のようなメインノズル１０及び噴射ノズルＮ１を備えた緯入れ装置によれば、各製織サイクルにおいて、クランク角度が予め設定された緯入れ期間における緯入れ開始時点に達した時点で前記のようにしてメインノズル１０からの圧縮空気の噴射が開始され、それに伴って緯糸の飛走が開始される。なお、メインノズル１０からの圧縮空気の噴射は前記緯入れ期間の途中で停止されるが、空気噴射式織機においては、緯糸の飛走経路に沿って複数のサブノズル（図示略）が配置されており、そのサブノズルから噴射される圧縮空気による搬送力によって緯糸の飛走が継続される。そして、その緯糸の先端が反給糸側の所定位置に到達した時点、すなわち、所定長さの緯糸が緯入れされた時点で、緯糸は、メインノズル１０の上流側において係止され、その飛走（移動）が停止する。そして、その緯糸の飛走が停止した時点が、本発明での緯入れ終了時点である。
【００５８】
そして、前記緯入れ終了時点以降の次の製織サイクルにおける緯入れ開始時点までの間の非緯入れ期間においては、メインノズル１０（スレッドガイド１３）内においても緯糸は停止した状態となるが、本実施例では、その非緯入れ期間が噴射ノズルＮ１の噴射期間として設定されており、記憶器４１に記憶された前記緯入れ終了時点に相当する噴射ノズルＮ１の噴射開始タイミングにクランク角度が達した時点で、制御器４２が第２の電磁開閉弁３５ｂの開弁制御を行い、それにより、前記のようにして噴射ノズルＮ１からの圧縮空気の噴射が開始される。また、その噴射ノズルＮ１による圧縮空気の噴射は、記憶器４１に記憶された噴射終了タイミングである次の製織サイクルにおける緯入れ開始時点まで継続される。
【００５９】
従って、前記非緯入れ期間においては、スレッドガイド１３の導糸孔１３ａ内において緯糸が停止した状態となるが、その前記非緯入れ期間に亘り、スレッドガイド１３の導糸孔１３ａ内には、前記の噴射ノズルＮ１の空気噴射による空気流が常に生じた状態となる。それにより、前記非緯入れ期間において、スレッドガイド１３の導糸孔１３ａ内で緯糸の貼り付きが発生することはほとんどなく、また、仮に前記貼り付きが発生したとしても、前記空気流によりその貼り付き状態がすぐに解消されることとなる。よって、前記非緯入れ期間に続く緯入れ期間の緯入れ開始時点において常に前記貼り付きが発生していない状態とすることができるため、各緯入れが正常且つ安定して行われるものとすることができる。
【００６０】
また、本実施例においては、噴射ノズルＮ１は、その噴射口２７ｂがスレッドガイド１３の導糸孔１３ａ内に形成される、すなわち、前記軸線方向に見て噴射口２７ｂの中心が導糸孔１３ａの範囲内に位置するように噴射ノズルＮ１が設けられる構成となっており、噴射ノズルＮ１が直接的に導糸孔１３ａ内に向けて圧縮空気を噴射する構成となっているため、噴射ノズルＮ１から噴射される圧縮空気が外乱等を受けることなく導糸孔１３ａを流れるものとなり、前記のような貼り付きを防止する効果をより確実なものとすることができる。
【００６１】
以上では、本発明の一実施形態（実施例）について説明したが、本発明は前記実施例において説明したものに限定されるものではなく、以下のような実施形態（変形例）での実施も可能である。
【００６２】
（１）前記実施例では、噴射ノズルにおける噴射口の中心が前記軸線方向に見てスレッドガイド１３の導糸孔１３ａの範囲内に位置する構成として、噴射口２７ｂが導糸孔１３ａ内に形成されるように噴射ノズルＮ１が設けられる構成としたが、これに代えて、噴射ノズルを図４に示すのような構成としてもよい。なお、図４（ａ）、（ｂ）において、前記実施例と共通の部分については同じ符号が付されているものとし、以下の説明では、前記実施例において説明済みの構成については、その説明は省略する。
【００６３】
図４に示す噴射ノズルＮ２は、スレッドガイド１３の後方に離間して配置されると共に、スレッドガイド１３の後方から導糸孔１３ａに向けて圧縮空気を噴射するように設けられたものである。なお、図示の構成における噴射ノズルＮ２は、公知のサブノズルと同様の形態のものであり、先端側に噴射口５１ａを有すると共に先端部が閉塞されたパイプ状の部材であるノズル部５１と、そのノズル部５１を支持する円筒状の基部５２とで構成されている。そして、噴射ノズルＮ２は、取付ブロック６０に取り付けられ、その取付ブロック６０がメインノズル１０におけるノズル本体１１に取り付けられることによって取付ブロック６０を介してノズル本体１１に支持されるものとなっている。
【００６４】
取付ブロック６０は、直方体形状のブロック状の部材であり、長手方向に延在する側面の１つを取付面６０ａとし、その取付面６０ａをノズル本体１１の後端面１１ｅに当接させるかたちでノズル本体１１に対し取り付けられるものである。より詳しくは、取付ブロック６０には、取付面６０ａと直交する貫通孔６２が形成されている。一方、メインノズル１０のノズル本体１１には、その後端面１１ｅに開口する雌ネジ孔１１ｆが形成されている。そして、取付ブロック６０は、その取付面６０ａをノズル本体１１の後端面１１ｅに当接させた状態で、貫通孔６２に挿通されたボルト等のネジ部材６５がノズル本体１１の雌ネジ孔１１ｆに螺挿されることにより、ノズル本体１１に対し取り付けられるものである。
【００６５】
また、取付ブロック６０には、取付面６０ａの短辺方向と平行に貫通する貫通孔６１が形成されている。なお、この貫通孔６１の内径は、噴射ノズルＮ２における基部５２の外径に応じたものとなっている。また、この貫通孔６１は、取付面６０ａの長辺方向において貫通孔６２と位置をずらして形成されている。その上で、噴射ノズルＮ２は、その基部５２において取付ブロック６０の貫通孔６１に嵌挿されると共に、ネジ部材等（図示略）によって取付ブロック６０に対し固定され、取付ブロック６０を介してノズル本体１１に支持された状態となっている。
【００６６】
なお、取付ブロック６０は、前記のようにノズル本体１１に取り付けられた状態で、スレッドガイド１３の軸線方向に見て、貫通孔６１の中心線がスレッドガイド１３の導糸孔１３ａの中心を指向するような向きとなっているものとする。従って、その取付ブロック６０に取り付けられた噴射ノズルＮ２も、前記軸線方向に見て、その軸線がスレッドガイド１３の導糸孔１３ａの中心を指向するものとなっている。
【００６７】
さらに、噴射ノズルＮ２は、前記のように支持された状態において、噴射口５１ａが  スレッドガイド１３の導糸孔１３ａを指向すると共に、前記軸線方向に見て、噴射口５１ａがスレッドガイド１３の導糸孔１３ａの範囲内に位置するように設けられるものとなっている。
【００６８】
また、噴射ノズルＮ２の後端には、管継手５３が取り付けられており、噴射ノズルＮ２は、この管継手５３によって連結される空気供給管（図示略）により、前記実施例と同様のかたちで空気供給源に接続されているものとする。従って、噴射ノズルＮ２は、空気供給源から供給される圧縮空気を噴射するものとなっており、前記実施例の噴射ノズルＮ１と同様に、スレッドガイド１３の導糸孔１３ａの後端側から導糸孔１３ａ内へ向けて圧縮空気を噴射することが可能な構成となっている。そして、この噴射ノズルＮ２が圧縮空気を噴射することにより、前記実施例と同様に導糸孔１３ａ内に空気流が生じた状態となり、その空気流により、導糸孔１３ａ内での緯糸の貼り付き防止、解消効果が得られる。
【００６９】
なお、図４に示す例では、噴射ノズルＮ２が取付ブロック６０を介してメインノズル１０のノズル本体１１に支持されるものとなっているが、この例の構成の噴射ノズルＮ２を採用する場合においては、噴射ノズルＮ２が前記のようにノズル本体１１に支持されているものに限らず、例えば公知のサブノズルと同様に、その噴射ノズルＮ２がメインノズル１０を支持するスレーに対しブラケット等を介して支持される構成とすることも可能である。
【００７０】
（２）また、本発明による緯入れ装置における噴射ノズルは、前記実施例や図４に示す例のように、スレッドガイド１３の軸線方向に見て、噴射口が導糸孔１３ａの範囲内に位置するように設けられるものに限らず、図５に示すようなものであってもよい。なお、図５においても、前記実施例と共通の部分については同じ符号が付されているものとし、以下の説明では、前記実施例において説明済みの構成については、その説明は省略する。
【００７１】
図５に示す噴射ノズルＮ３は、スレッドガイド１３に対し導糸孔１３ａに連通する貫通孔が形成され、その貫通孔における導糸孔１３ａ側の部分が噴射口として機能するように構成されたものである。この噴射ノズルＮ３について、より詳しくは、以下のような構成である。
【００７２】
まず、メインノズル１０におけるノズル本体１１には、その外周面から挿通孔１１ａに向けて貫通する空気供給孔としての貫通孔１１ｈが形成されると共に、挿通孔１１ａの内周面における貫通孔（空気供給孔）１１ｈが開口する位置において円周方向に亘って連続する環状溝１１ｋが形成されている。
【００７３】
また、スレッドガイド１３には、その外周面から導糸孔１３ａに向けて貫通する貫通孔１３ｈであって、スレッドガイド１３がノズル本体１１に装着された状態においてノズル本体１１の環状溝１１ｋに対向する外周面の位置に開口すると共にスレッドガイド１３の先端側を向くように形成された貫通孔１３ｈが、円周方向において等間隔で複数形成されている。従って、スレッドガイド１３がノズル本体１１の挿入孔１１ａに装着された状態においては、各貫通孔１３ｈは、ノズル本体１１における環状溝１１ｋを介して空気供給孔１１ｈに連通した状態となる。そして、この各貫通孔１３ｈにおける導糸孔１３ａ側の端部（先端部）が、噴射ノズルＮ３における噴射口となる。
【００７４】
このように、噴射ノズルＮ３は、噴射口及びその噴射口に連通する流路として機能するスレッドガイド１３に形成された複数の貫通孔１３ａと、その各貫通孔１３ａと空気供給孔１１ｈとを連通させるためのノズル本体１１に形成された環状溝１１ｋとで構成されるものとなっている。すなわち、図５に示す例では、噴射ノズルＮ３は、その噴射ノズルＮ３を構成するための専用の部材は設けられておらず、スレッドガイド１３の一部及びノズル本体１１の一部により構成されるものとなっている。
【００７５】
そして、ノズル本体１１に形成された空気供給孔１１ｈには管継手１８が取り付けられており、噴射ノズルＮ３は、この管継手５３によって連結された空気供給管（図示略）により、前記実施例と同様のかたちで空気供給源に接続されているものとする。従って、噴射ノズルＮ３は、空気供給源から供給される圧縮空気を噴射するものとなっており、スレッドガイド１３の導糸孔１３ａ内へ向けて圧縮空気を噴射することが可能な構成となっている。そして、この噴射ノズルＮ３が圧縮空気を噴射することにより、前記実施例と同様に導糸孔１３ａ内に空気流が生じた状態となり、その空気流により、導糸孔１３ａ内での緯糸の貼り付き防止、解消効果が得られる。
【００７６】
なお、スレッドガイド１３の導糸孔１３ａ内において、噴射ノズルＮ３の噴射口が開口するよりも後端部側では、噴射ノズルＮ３から噴射される圧縮空気は作用しないものとなっている。しかし、噴射ノズルＮ３が圧縮空気の噴射を行って導糸孔１３ａ内における噴射口よりも先端側にスレッドガイド１３の先端へ向けた空気流が発生すると、その後端部側が負圧状態となり、それにより、スレッドガイド１３の後端から導糸孔１３ａ内へ向けて空気が流入し、その導糸孔１３ａの後端部側においても空気流が生じた状態となる。従って、噴射ノズルＮ３から噴射される圧縮空気が作用しない後端部側においても、前記のような緯糸の貼り付き防止、解消効果が得られる。
【００７７】
（３）本発明における記憶器について、前記実施例では、単一の記憶器４１が、噴射ノズルからの圧縮空気の噴射期間を記憶する（噴射ノズル用の）記憶器と、メインノズル１０からの圧縮空気の噴射期間を記憶する（メインノズル用の）記憶器とを兼ねるものとしたが、これに代えて、噴射ノズル用の記憶器が、メインノズル１０用の記憶器とは独立した専用のものとして設けられる構成としてもよい。
【００７８】
また、制御器についても同様であり、噴射ノズルの噴射を制御する制御器が、メインノズルの噴射を制御する制御器とは独立した専用のものとして設けられる構成としてもよい。
【００７９】
（４）本発明が前提とする空気噴射式織機おける緯入れ装置について、前記実施例では、緯入れ装置を、単一のメインノズル１０のみを備える単色の緯入れ装置としたが、本発明は、そのような単色の緯入れ装置に適用される場合に限らず、２以上のメインノズル１０を備えて２種類以上の緯糸の緯入れに対応可能な所謂多色の緯入れ装置にも適用可能である。
【００８０】
そして、そのような多色の緯入れ装置によって２種類以上の緯糸を用いて製織が行われる場合には、本発明は、前記実施例のように各製織サイクルにおいて噴射ノズルによる空気噴射動作が行われるものに限らず、その製織に使用される２種類以上の緯糸のうちの予め定められた緯糸の緯入れに対応させて噴射ノズルが空気噴射動作を行うものとすればよい。
【００８１】
具体的には、例えば、前記のようなスレッドガイド１３の導糸孔１３ａ内での貼り付きを生じ易い緯糸（緯糸A）及び生じ難い緯糸（緯糸B）の２種類の緯糸を用いて製織が行われる場合において、前記緯糸Aを本発明で言う予め定められた緯糸とし、その緯糸Aの緯入れの開始時点直前の非緯入れ期間内おいてのみ、その緯糸Aの緯入れを行うメインノズル１０におけるスレッドガイド１３の導糸孔１３ａ内へ向けて、噴射ノズルによる空気噴射動作が行われるものとしてもよい。言い換えれば、前記のように前記緯糸Aを予め定められた緯糸とする場合においては、前記緯糸Bを緯入れする製織サイクルにおける緯入れ開始時点前において、噴射ノズルによる空気噴射動作が行われないものとしてもよい。
【００８２】
但し、前記のような前記貼り付きを生じ難い緯糸Bについても、その緯糸Bを予め定められた緯糸とし、その緯糸Bの緯入れに対応して噴射ノズルが空気噴射動作を行うものとしてもよい。すなわち、２以上の種類の緯糸を用いて製織が行われる場合において、本発明においては、少なくとも前記貼り付きを生じやすい緯糸の緯入れに対応させて噴射ノズルが空気噴射動作を行うものであるが、それ以外の緯糸の緯入れに対応させて噴射ノズルが空気噴射動作を行うものであってもよい。そして、その場合は、前記のそれ以外の緯糸も、本発明で言う予め定められた緯糸となる。
【００８３】
（５）噴射ノズルの噴射期間について、前記実施例では、各製織サイクルにおける緯入れ終了時点からその次の製織サイクルにおける緯入れ開始時点までの間の期間、すなわち、各製織サイクルにおける緯入れ期間を除く非緯入れ期間の全部として設定されるものとしたが、本発明においては、その噴射ノズルの噴射期間は、予め定められた緯糸の緯入れが行われる製織サイクルの開始時点から当該緯糸の緯入れが開始される緯入れ開始時点までの間の少なくとも一部の期間を含むように設定されるものであればよい。従って、噴射ノズルの噴射期間については、例えば、予め定められた緯糸の緯入れが行われる製織サイクルの開始時点からその製織サイクルにおける緯入れ開始時点までの間の期間、もしくは、その期間内のより短い期間であってもよい。
【００８４】
但し、噴射ノズルの噴射期間は、前記のような製織サイクルの開始時点からその製織サイクルにおける緯入れ開始時点までの間の期間内に限らず、前記実施例のように、その製織サイクルの前の製織サイクルにおける緯入れ終了時点以降から開始される期間であってもよいし、さらには、それよりも前に開始される期間、すなわち、前記前の製織サイクルにおける緯入れ終了時点よりも前を開始時点とする期間であってもよい。また、噴射ノズルの噴射期間は、予め定められた緯糸の緯入れ開始時点の後まで噴射が継続されるように設定されるものであってもよい。
【００８５】
なお、噴射ノズルの噴射期間について、前記実施例では、その噴射期間の代替えとしてその噴射期間の噴射開始タイミング及び噴射終了タイミングが記憶器に記憶されるものとしたが、これに代えて、噴射開始タイミングとその期間（クランク角度範囲）が記憶器に記憶されるものとしてもよい。また、その期間についても、クランク角度で設定されるものに限らず、時間（噴射時間）で設定されるものとしてもよい。
【００８６】
また、噴射ノズルからの圧縮空気の噴射については、その設定された噴射期間に亘って連続的（継続的）に行われるものに限らず、その設定された噴射期間内において断続的に行われるものとしてもよい。
【００８７】
さらに、本発明は、以上で説明したいずれの実施形態にも限定されるものではなく、本発明の趣旨を逸脱しない限りにおいて種々に変更することが可能である。
【符号の説明】
【００８８】
１０      メインノズル
１１      ノズル本体
１１ａ    挿入孔
１１ｂ    空気供給孔
１１ｄ    環状流路
１１ｈ    空気供給孔
１１ｋ    環状溝
１３      スレッドガイド
１３ａ    導糸孔
１３ｂ    後端部
１３ｈ    貫通孔
１５      パイプ
２０      ノズル体
２１      本体部材
２１ａ    貫通孔の大径部
２１ｂ    貫通孔の中径部（円形溝）
２１ｃ    貫通孔の小径部
２１ｅ    空気供給孔
２３      流路形成部材
２３ａ    胴部
２３ｂ    フランジ部
２３ｃ    流路形成部（突出部）
２３ｄ    挿通孔
２７ａ    環状溝
２７ｂ    噴射口
３１      空気供給源
３３ａ、３３ｂ  レギュレータ
３４ａ、３４ｂ  タンク
３５ａ    第１の電磁開閉弁
３５ｂ    第２の電磁開閉弁
３７ａ、３７ｂ  空気供給管
４０      緯入れ制御装置
４１      記憶器
４２      制御器
５１      ノズル部
５１ａ    噴射口
５２      基部
６０      取付ブロック
６０ａ    取付面
ＥＮ      エンコーダ
ＭＳ      主軸
Ｎ１、Ｎ２、Ｎ３  噴射ノズル
【図１】
2016044372.tif 000003
【図２】
2016044372.tif 000004
【図３】
2016044372.tif 000005
【図４】
2016044372.tif 000006
【図５】
2016044372.tif 000007